(57)【特許請求の範囲】
【請求項１】
親機と子機とからなり、前記親機と前記子機との間では、単位通信期間を複数のスロットに分割し、前記親機から前記子機への通信と前記子機から前記親機への通信のそれぞれにおいて、１つのスロットを用いてＴＤＭＡ（Time Division Multiple Access；時分割多元接続）／ＴＤＤ（Time Division Duplex；時分割複信）方式の無線通信を行うコードレス電話装置であって、
前記親機は、
待機状態にあるときに、選択した１つのスロットを制御情報用スロットとして用いて、所定のタイミングごとに前記子機に対して制御情報を送信する制御情報送信手段と、
前記親機と前記子機との間で通信に用いる通信用スロットを指示する指示情報を含む前記子機からの所定の要求を受信する要求受信手段と、
前記要求受信手段を通じて前記所定の要求を受信した場合であって、自機に接続可能な前記子機が１台以上存在し、かつ、自機との間で通信可能な前記子機が１台である場合に、前記制御情報用スロットを解放し、受信した前記指示情報により指示された前記通信用スロットを用いて前記子機との間で通信を行うように制御するスロット制御手段と
を備え、
前記子機は、
前記親機からの接続要求を受信した場合、あるいは、自機から発信する場合に、前記指示情報を含む前記所定の要求を形成して前記親機に送信する要求送信手段
を備えることを特徴とするコードレス電話装置。
【請求項２】
請求項１に記載のコードレス電話装置であって、
前記親機は、
自機に対して接続可能な１台以上の子機と、自機に対して接続可能な１台以上の前記子機の内、自機と通信可能な状態にある子機とを識別可能なように子機に関する情報を記憶する子機情報記憶手段と、
前記子機情報記憶手段の記憶情報を参照し、自機と通信可能な状態にある子機の台数を判別する判別手段と
を備え、
前記親機の前記スロット制御手段は、前記要求受信手段を通じて前記所定の要求を受信した場合であって、受信した前記指示情報により指示された前記通信用スロットを用いて前記子機との間で通信を開始させるときに、前記判別手段の判別結果が１台である場合には、前記通信用スロットを他の子機に通知することなく即座に前記制御情報用スロットを解放するように制御し、前記判別手段の判別結果が複数である場合には、前記通信用スロットを自機と通信可能な状態にある複数の子機のそれぞれに対して通知した後に、前記制御情報用スロットを解放するように制御することを特徴とするコードレス電話装置。
【発明の詳細な説明】
【技術分野】
【０００１】
この発明は、例えば、ビジネスホンシステムなどに接続して用いられる、ＴＤＭＡ（Time Division Multiple Access；時分割多元接続）／ＴＤＤ（Time Division Duplex；時分割複信）方式が適用されたデジタルコードレス通信装置に関する。
【背景技術】
【０００２】
近年、主装置やＳＩＰサーバなどの上位装置（通信制御装置）に対して、コードレス電話装置を接続して構成するビジネスホンシステム（ボタン電話システム）が提供されるようになってきている。コードレス電話装置は、親機と子機とが無線接続されて、１台の電話装置として機能するものである。コードレス電話装置を構成する親機と子機との間では、ＤＥＣＴ（Digital Enhanced Cordless Telecommunication）規格の通信方式が用いられている場合が多くなってきている。
【０００３】
ＤＥＣＴ規格においては、親機から子機へのダウンリンクでの通信方式は時分割多重方式を使用する時分割複信方式であること、子機から親機へのアップリンクの通信方式は時分割多元接続方式であることが定められている。また、ＤＥＣＴ規格において、使用周波数帯は、「１．９ＧＨｚ帯」を使用すること、チャンネル数は、最大５チャンネルであることなどが定められている。
【０００４】
また、ＤＥＣＴ規格では、特許文献１などに開示されているように、符号化データの１チャンネルにおける１フレームは１０ミリ秒（ｍｓ）であり、図１８に示すように、２４タイムスロットに分割されている。なお、以下においては、タイムスロットを単にスロットと記載する。そして、１フレームの前半の１／２フレーム期間の１２スロットＳ０〜Ｓ１１は、親機から子機へのダウンリンクに用いられ、後半の１／２フレーム期間の１２スロットＳ１２〜Ｓ２３は、子機から親機へのアップリンクに用いられる。
【先行技術文献】
【特許文献】
【０００５】
【特許文献１】特表２００１−５１０９７２号公報
【発明の概要】
【発明が解決しようとする課題】
【０００６】
ビジネスホンシステムで用いられるＤＥＣＴ規格のコードレス電話装置においては、電源がオフの状態でなければ、待機状態（アイドル状態）で１台のコードレス電話装置が１２スロット中の１スロットを使用して、親機から子機へ、同期信号などを含め、種々の制御情報を送信している。この時のスロットをダミーベアラという。なお、通常、親機に対しては複数台の子機が接続可能にされているが、親機に対して、１台の子機だけが接続されている場合にも、また、複数台の子機が接続されている場合にも、待機状態では１つのスロット（ダミーベアラ）を使用して各子機に対して制御情報などが送信される。なお、この場合、子機から親機へ情報の送信は行われない。
【０００７】
このような待機状態から、例えば着信があり、上位装置から親機に対して着信が通知されると、親機はダミーベアラを使用して各子機に対してデータセッション接続要求を通知し、子機が空きスロットをサーチして親機に働きかけ、通信に使用するスロットの取得を試みる。データセッション接続要求は、親機と子機とが相互に通信できる環境を整えるための要求であり、着信通知がなされるものではない。そして、データセッション接続要求に応じて、親機と子機との間で相互に通信を行うためのスロットが取得できたら、親機はダミーベアラを解放し、取得したダウンリンクのスロットを用いて着信を通知する。同時に親機は、アップリンクのスロットも特定して子機からの情報の受信もできるようにする。
【０００８】
このように、親機と子機との間で相互に通信を行うために取得したスロットをトラフィックベアラという。そして、トラフィックベアラを通じては、同期信号などを含め、種々の制御情報の送信が行われると共に、通信の相手先との間に通話回線が接続された後においては、音声情報の送信も行われる。トラフィックベアラでは種々の制御情報などの送信も行われるため、トラフィックベアラを特定（取得）して、ダミーベアラを解放する処理を、ダミーベアラをトラフィックベアラにマージするという。
【０００９】
そして、ダミーベアラをトラフィックベアラにマージする処理は、親機に対して複数台の子機が接続されることもあるため、トラフィックベアラとなったスロットを各子機に通知するために、少なくとも６４０ｍｓ（ミリ秒）以上の時間がかかる。待機状態において各子機は、省電力化のために６４０ｍｓ周期で一定時間動作状態となり、それ以外の時間はいわゆるスリープ状態となっているためである。このため、ダミーベアラをトラフィックベアラにマージする処理では、トラフィックベアラを取得してからダミーベアラを解放するまでの少なくとも６４０ｍｓの間においては、ダミーベアラとトラフィックベアラとの２つのスロットが同時に使用されている状態（併存する状態）となる。
【００１０】
ビジネスホンシステムでは、上位装置に対して、１つのチャンネルを共用する同じグループに複数のコードレス電話装置が収容される場合がある。このような場合には、一斉着信やグループ着信のように、１つのチャンネルを共用する複数のコードレス電話装置に対して同時にデータセッション接続要求が送信される場合がある。このとき、着信の発生に応じて、データセッション接続要求を受信した全てのコードレス電話装置が、上位装置から親機が受けた着信通知に応じたタイミングで、すなわち同タイミングで空きスロットのサーチを行い、通信に用いるトラフィックベアラを取得しようとする。
【００１１】
この場合、各コードレス電話装置においては、ダミーベアラとトラフィックベアラの２スロットを使用している状態である可能性がある。しかし、ＤＥＣＴ規格のコードレス電話装置においては、上述したように、１チャンネル（１周波数）における１フレームあたりの使用可能なスロット数は決まっている。このため、空きスロットが少なくなり、空きスロットを確保できないコードレス電話装置が発生する可能性がある。空きスロットを確保できないコードレス電話装置は、スロットを取得したコードレス電話装置がダミーベアラとして使用していたスロットを解放し、空きスロットが発生するまでスロットを取得することができない。
【００１２】
この結果、同じチャンネルを共用するコードレス電話装置の台数によっては、トラフィックベアラとなるスロットが取得できないために、着信通知が遅れるコードレス電話装置が発生したり、最悪の場合には着信通知がされないコードレス電話装置が発生したりする可能性がある。また、着信時ほど顕著ではないものの、発信時においても、発信操作がなされた子機から親機に働きかけて、トラフィックベアラの取得を行うようにするので、トラフィックベアラとダミーベアラとが併存する期間が発生する。この場合、スロットの使用状況によっては、稀にではあるものの他の子機から発信を迅速に行えない場合が発生する可能性があると考えられる。
【００１３】
以上のことに鑑み、この発明は、ＴＤＭＡ／ＴＤＤ方式が適用されたデジタルコードレス通信装置において、空きスロットを適切に確保し、着信、発信について常時、適切に処理して遅滞なく通話できるようにすることを目的とする。
【課題を解決するための手段】
【００１４】
上記課題を解決するため、請求項１に記載の発明のコードレス電話装置は、
親機と子機とからなり、前記親機と前記子機との間では、単位通信期間を複数のスロットに分割し、前記親機から前記子機への通信と前記子機から前記親機への通信のそれぞれにおいて、１つのスロットを用いてＴＤＭＡ（Time Division Multiple Access；時分割多元接続）／ＴＤＤ（Time Division Duplex；時分割複信）方式の無線通信を行うコードレス電話装置であって、
前記親機は、
待機状態にあるときに、選択した１つのスロットを制御情報用スロットとして用いて、所定のタイミングごとに前記子機に対して制御情報を送信する制御情報送信手段と、
前記親機と前記子機との間で通信に用いる通信用スロットを指示する指示情報を含む前記子機からの所定の要求を受信する要求受信手段と、
前記要求受信手段を通じて前記所定の要求を受信した場合であって、自機に接続可能な前記子機が１台以上存在し、かつ、自機との間で通信可能な前記子機が１台である場合に、前記制御情報用スロットを解放し、受信した前記指示情報により指示された前記通信用スロットを用いて前記子機との間で通信を行うように制御するスロット制御手段と
を備え、
前記子機は、
前記親機からの接続要求を受信した場合、あるいは、自機から発信する場合に、前記指示情報を含む前記所定の要求を形成して前記親機に送信する要求送信手段
を備えることを特徴とする。
【００１７】
これにより、着信時や通知時において、配下の他の子機に対して、トラフィックベアラとして取得したスロットを通知するための制御情報用スロットと通信用スロットとの２スロットが同時に用いられた状態になるのを回避できる。すなわち、コードレス電話装置において、空きスロットを適切に確保し、着信、発信について常時、適切に処理して遅滞なく通話ができる。
【発明の効果】
【００１８】
この発明は、空きスロットを適切に確保し、着信、発信について常時、適切に処理して遅滞なく通話ができる、ＴＤＭＡ／ＴＤＤ方式が適用されたデジタルコードレス通信装置が実現できる。
【図面の簡単な説明】
【００１９】
【図１】実施の形態の電話システムの全体構成の概要を説明するためのブロック図である。
【図２】実施の形態の電話システムの一部を構成する主装置の構成例を示すブロック図である。
【図３】実施の形態の電話システムの一部を構成するこの発明のコードレス電話装置の親機の構成例を示すブロック図である。
【図４】実施の形態の電話システムの一部を構成するこの発明のコードレス電話装置の子機の構成例を示すブロック図である。
【図５】親機に対して複数台の子機が接続された場合の例を示す図である。
【図６】親機ＢＳ１から配下の複数の子機に対して制御情報などを送信する場合のスロットの利用態様の例を説明するための図である。
【図７】着信が発生した場合のスロットの利用態様（図７（Ａ））と、ダミーベアラをトラフィックベアラにマージした場合のスロットの利用態様（図７（Ｂ））をするための図である。
【図８】ダミーベアラを通じて行われる親機から子機への制御情報などの送信と子機の動作周期との関係を説明するための図である。
【図９】ダミーベアラを通じて行われる親機から子機への制御情報などの送信と子機の動作周期との関係を説明するための図である。
【図１０】コードレス電話装置が有する特性に基づいて発生する可能性のある問題点について説明するための図である。
【図１１】ダミーベアラの即時解放を行うコードレス電話装置での着信が発生した場合の処理を説明するためのシーケンス図である。
【図１２】ダミーベアラの即時解放を行うコードレス電話装置２１から発信を行う場合の処理を説明するためのシーケンス図である。
【図１３】子機情報メモリ４１２の格納データの例を説明するための図である。
【図１４】図１１、図１２に示した処理を行うコードレス電話装置の親機ＢＳ１で行われるトラフィックベアラ取得及びダミーベアラ解放処理を説明するためのフローチャートである。
【図１５】ダミーベアラとして用いているスロットをトラフィックベアラとして優先的に選択するコードレス電話装置での着信が発生した場合の処理を説明するためのシーケンス図である。
【図１６】ダミーベアラとして用いているスロットをトラフィックベアラとして優先的に選択するコードレス電話装置２１から発信を行う場合の処理を説明するためのシーケンス図である。
【図１７】図１５、図１６に示した処理を行うコードレス電話装置の親機ＢＳ１で行われるトラフィックベアラ取得及びダミーベアラ解放処理を説明するためのフローチャートである。
【図１８】ＤＥＣＴ規格のスロットについて説明するための図である。
【発明を実施するための形態】
【００２０】
以下、図を参照しながら、この発明のコードレス電話装置の一実施の形態について説明する。以下に説明する実施の形態においては、この発明のコードレス電話装置を、例えば会社などの構内に設けられる電話システム（ビジネスホンシステム）に対して接続して利用する場合を例にして説明する。
【００２１】
［電話システムの構成例；図１］
図１は、この実施形態としての電話システム１０の全体の構成例を示すブロック図である。この例の電話システム１０においては、上位装置の例としての主装置１に対して、内線電話装置として、この発明に係る複数のコードレス電話装置２１，２２，・・・，２ｎ（ｎは２以上の整数。以下同じ）が接続されている。コードレス電話装置２１〜２ｎのそれぞれは、親機としてのベースセットＢＳ１，ＢＳ２，・・・，ＢＳｎのそれぞれと、子機としてのハンドセットＨＳ１，ＨＳ２，・・・，ＨＳｎのそれぞれとからなり、親機ＢＳ１〜ＢＳｎのそれぞれと、子機ＨＳ１〜ＨＳｎのそれぞれとは、無線接続される。
【００２２】
なお、親機ＢＳ１〜ＢＳｎのそれぞれに対しては、後述もするように、複数の子機を無線接続することも可能であるが、この例では、１台の親機に対して、１台の子機が接続される構成とされている。また、図示は省略するが、主装置１に接続される内線電話装置としては、コードレス電話装置２１，２２，・・・，２ｎのみではなく、通常のビジネスホンと同様に、デジタルボタン電話端末も接続できる。
【００２３】
そして、この実施形態では、コードレス電話装置２１〜２ｎの親機ＢＳ１〜ＢＳｎのそれぞれと、子機ＨＳ１〜ＨＳｎのそれぞれとの間の無線接続は、前述したデジタルコードレス電話のＤＥＣＴ規格（方式）を用いたＴＤＭＡ／ＴＤＤ方式により行うようにしている。
【００２４】
主装置１は、１又は複数の電話回線Ｌ１〜Ｌｍ（ｍは２以上の整数）を収容可能である。そして、コードレス電話装置２１〜２ｎのそれぞれの親機ＢＳ１〜ＢＳｎが、この主装置１に接続されている。図１の例では、親機ＢＳ１〜ＢＳｎと主装置１とは有線で接続されているが、無線であってもよい。
【００２５】
主装置１は、複数のコードレス電話装置２１〜２ｎについての呼制御及び回線交換制御、その他のビジネスホンとしての制御を行うと共に、基準同期信号ＳＹＮＣを複数のコードレス電話装置２１〜２ｎのそれぞれに供給する機能を備えている。基準同期信号ＳＹＮＣは、この例では、１３０ミリ秒（ｍｓ）周期の信号とされている。
【００２６】
コードレス電話装置２１〜２ｎの親機ＢＳ１〜ＢＳｎのそれぞれは、主装置１からの基準同期信号ＳＹＮＣに同期して、ＤＥＣＴ規格のデジタルコードレス電話の単位通信期間である１フレーム（１０ミリ秒（ｍｓ））の周期のフレーム同期信号を生成し、その生成したフレーム同期信号に基づいて、ＤＥＣＴ規格を用いたＴＤＭＡ／ＴＤＤ方式の無線通信を子機ＨＳ１〜ＨＳｎとの間で実行する。したがって、複数のコードレス電話装置２１〜２ｎの全ては、主装置１からの基準同期信号ＳＹＮＣに同期した動作をする。
【００２７】
親機ＢＳ１〜ＢＳｎのそれぞれは、基準同期信号ＳＹＮＣに基づいて、フレーム同期信号を生成し、その生成したフレーム同期信号に基づいて、子機ＨＳ１〜ＨＳｎとの間で、１フレーム期間の複数のスロットの内の一つを用いて無線通信を行うように制御する。そして、後述もするが、親機ＢＳ１〜ＢＳｎのそれぞれは、キャリアセンス部４４２２とスロット制御部４１１とを備え、子機ＨＳ１〜ＨＳｎのぞれぞれは、キャリアセンス部５１２２とスロット制御部５２１とを備えている。これらの機能により、１フレーム中のスロットの使用状況を把握して、ダミーベアラとなるスロットやトラフィックベアラとなるスロットを適切に特定（取得）して、親機と子機との間の通信を適切に行えるようにしている。
【００２８】
［主装置１の構成例；図２］
図２は、主装置１の構成例を示すブロック図である。図２に示すように、主装置１は、電話回線Ｌ１〜Ｌｍが接続される回線インターフェース１１と、コンピュータを搭載して、主装置１の全体を制御するための制御回路１２と、回線ＬＳＩ（Large Scale Integrated Circuit）部１３と、基準発振器１４とを備えて構成されている。
【００２９】
回線インターフェース１１は、制御回路１２からの制御により、回線Ｌ１〜Ｌｍからの音声信号（受話音声信号）は、回線ＬＳＩ部１３に供給し、回線からの呼制御信号などの制御信号は、制御回路１２に供給する。また、回線インターフェース１１は、制御回路１２からの制御により、回線ＬＳＩ部１３からの音声信号（送話音声信号）は、回線Ｌ１〜Ｌｍを通じて相手方に送信し、制御回路１２からの呼制御信号などの制御信号も、回線Ｌ１〜Ｌｍを通じて相手方に送信する。
【００３０】
回線ＬＳＩ部１３は、ｎ個の内線電話装置に対応して、ｎ個の内線処理回路１３１，１３２，・・・，１３ｎと、タイミング信号生成部１３０を備える。タイミング信号生成部１３０には、水晶振動子を用いた高精度の基準発振器１５からの基準クロック信号から伝送用クロック信号ＣＫ及び多重化／分割化用タイミング信号ＴＭを生成し、ｎ個の内線処理回路１３１〜１３ｎに供給する。
【００３１】
ｎ個の内線処理回路１３１〜１３ｎは、全く同一の構成を備えるもので、それぞれ、音声信号処理部３１と、制御信号処理部３２と、同期信号処理部３３と、多重化／分割化処理部３４とからなる。
【００３２】
音声信号処理部３１は、回線インターフェース１１に接続されると共に、多重化／分割化処理部３４に接続されており、回線インターフェース１１からの受話音声信号及び多重化／分割化処理部３４からの送話音声信号の処理回路である。この音声信号処理部３１には、タイミング信号生成部１３０からの伝送用クロック信号ＣＫが供給されている。
【００３３】
制御信号処理部３２は、制御回路１２の制御信号入出力端に接続されると共に、多重化／分割化処理部３４に接続されており、発信時及び着信時、また、終話時などにおける呼制御信号などの制御信号（主装置１からコードレス電話装置への制御信号と、コードレス電話装置から主装置１への制御信号の両方）の処理回路である。この制御信号処理部３２にも、タイミング信号生成部１３０からの伝送用クロック信号ＣＫが供給されている。
【００３４】
同期信号処理部３３は、制御回路１２の同期信号出力端に接続されると共に、多重化／分割化処理部３４に接続されており、制御回路１２からの所定の同期信号パターンを有する基準同期信号ＳＹＮＣの処理回路である。この同期信号処理部３３にも、同様に、タイミング信号生成部１３０からの伝送用クロック信号ＣＫが供給されている。
【００３５】
多重化／分割化処理部３４は、音声信号処理部３１、制御信号処理部３２、同期信号処理部３３に接続されると共に、コードレス電話装置２１〜２ｎの親機ＢＳ１〜ＢＳｎのそれぞれに接続される。そして、多重化／分割化処理部３４は、タイミング信号生成部１３０からのタイミング信号ＴＭに基づいて、音声信号処理部３１からの音声信号と、制御信号処理部３２からの制御信号と、同期信号処理部３３からの基準同期信号ＳＹＮＣとを多重化（時分割多重）して多重化信号を生成し、その生成した多重化信号を親機ＢＳ１〜ＢＳｎのそれぞれに供給する。また、多重化／分割化処理部３４は、タイミング信号生成部１３０からのタイミング信号ＴＭに基づいて、親機ＢＳ１〜ＢＳｎのそれぞれからの多重化信号を音声信号と制御信号とに分割して、音声信号は音声信号処理部３１に、制御信号は制御信号処理部３２に、それぞれ供給する。
【００３６】
なお、図示しないが、主装置１には、アドレス管理部も接続されている。アドレス管理部は、主装置１に接続されているコードレス電話装置２１〜２ｎの内線番号と内線処理回路１３１〜１３ｎのそれぞれとの対応を記憶管理する。この実施形態の電話システム１０においては、主装置１にコードレス電話装置２１〜２ｎのいずれかが接続された時に、そのコードレス電話装置の親機は、主装置１に対して接続要求を送る。
【００３７】
主装置１は、そのコードレス電話装置の親機からの接続要求を制御信号として受けた内線処理回路が内線処理回路１３１〜１３ｎの内のいずれであるかを検知することにより、コードレス電話装置が接続された内線処理回路を検知する。そして、制御回路１２は、設置工事者や管理者等により設定された内線番号、あるいは自動的に設定された内線番号と、コードレス電話装置が接続された内線処理回路の識別情報とを対応付けてアドレス管理部に登録する。
【００３８】
このアドレス管理部の情報に基づいて、主装置１に接続されたコードレス電話装置の動作状況などを適切に把握することができると共に、主装置１に接続されたコードレス電話装置のそれぞれを適切に制御できる。
【００３９】
［コードレス電話装置の構成例］
複数個のコードレス電話装置２１〜２ｎの親機ＢＳ１〜ＢＳｎ及び子機ＨＳ１〜ＨＳｎのそれぞれは、全て同じ構成を備える。そこで、以下の説明では、コードレス電話装置２１の親機ＢＳ１及び子機ＨＳ１の場合を例にとって、親機及び子機の構成例を説明する。
【００４０】
＜親機の構成例；図３＞
図３は、親機ＢＳ１の構成例を示すブロック図である。この図３に示すように、親機ＢＳ１は、親機ＢＳ１の全体を制御するための制御回路４１と、回線ＬＳＩ部４２と、同期信号発生回路４３と、無線通信回路４４と、発振器４５及び４６とを備えて構成されている。
【００４１】
制御回路４１は、コンピュータを搭載して構成されている。そして、制御回路４１は、この親機ＢＳ１における呼制御などの制御を行う機能を備える。また、制御回路４１は、図３に示すように、スロット制御部４１１と、子機情報メモリ４１２とを備える。スロット制御部４１１は、後述する無線通信回路４４の制御部４４１を通じて、無線通信回路４４のＴＤＭＡ変復調部４４２を制御して、各フレームのダウンリンクとアップリンクとにおいて適切なスロットを特定して子機ＨＳ１との間での通信を可能にする。
【００４２】
具体的に、スロット制御部４１１は、待機状態（アイドル状態）においては、適切なスロットをダミーベアラとして特定し、このダミーベアラを通じて、子機に対して、同期信号等を含め、種々の制御情報を送信するように制御する。なお、待機状態は、親機ＢＳ１に電源が投入されており、着信や発信の発生を受け付けて動作できるようになっている状態である。
【００４３】
また、スロット制御部４１１は、着信が発生したり、子機から発信を行うようにしたりした場合には、適切なスロットをトラフィックベアラとして特定して、このトラフィックベアラを通じて親機と子機との間で相互に通信ができるように制御する。トラフィックベアラを通じては、同期信号を含め、種々の制御情報の他、通話の相手先との間で通話回線が接続された後においては、音声情報の送信も行われる。また、着信時には、トラフィックベアラを通じて、親機から子機に対して着信通知も送信される。
【００４４】
この場合、スロット制御部４１１は、子機との間で通信に用いるスロットを特定する。具体的に、スロット制御部４１１は、後述する無線通信回路４４のＴＤＭＡ変復調部４４２に設けられているキャリアセンス部４４２２での検出結果や子機からの要求などに基づいて使用するスロットを特定することができる。また、スロット制御部４１１は、予め決められた条件に従って、子機との間において通信に用いるスロットを特定することもできる。
【００４５】
子機情報メモリ４１２は、自機（親機ＢＳ１）の配下の１台以上の各子機の子機情報を管理する。子機情報は、子機の識別情報（子機ＩＤ）、当該識別情報により特定される子機が親機ＢＳ１と通信が可能な状態にあるか否かを示す情報（通信状態情報）などからなる。スロット制御部４１１は、子機情報メモリ４１２に記憶されている子機情報をも考慮し、詳しくは後述するが、ダミーベアラとなっているスロットの解放の仕方を制御できるようになっている。
【００４６】
回線ＬＳＩ部４２は、主装置１との間で音声信号、制御信号及び同期信号のやり取りをするための回路であり、分割化／多重化処理部４２１と、制御信号処理部４２２と、音声信号処理部４２３と、同期信号検出部４２４と、ＰＬＬ（Phase locked Loop）部４２５とからなる。
【００４７】
ＰＬＬ部４２５には、発振器４５からの基準周波数の発振信号が供給されると共に、主装置１からの多重化信号が供給される。この例では、発振器４５の発振信号の周波数は、例えば２０４８ＭＨｚ（０．４８８ナノ秒（ｎｓ））とされている。ＰＬＬ部４２５は、主装置１からの多重化信号から、いわゆるセルフクロッキングにより、主装置１のタイミング信号生成部からのクロック信号ＣＫの成分を抽出し、その抽出したクロック信号ＣＫ成分と発振器４５からの発振信号とを位相比較して、その比較結果に基づいて、発振器４５の発振信号から、クロック信号ＣＫ成分に同期する親機ＢＳ１のシステムクロック信号ＳＣＫを生成する。
【００４８】
そして、ＰＬＬ部４２５は、生成したシステムクロック信号ＳＣＫを分割化／多重化処理部４２１、制御信号処理部４２２、音声信号処理部４２３、同期信号検出部４２４のそれぞれに、信号処理用クロック信号として供給すると共に、同期信号発生回路４３に供給する。
【００４９】
分割化／多重化処理部４２１は、主装置１に接続されると共に、制御信号処理部４２２、音声信号処理部４２３、同期信号検出部４２４に接続される。そして、分割化／多重化処理部４２１は、主装置１からの多重化信号から制御信号と音声信号と基準同期信号ＳＹＮＣを分割して、制御信号は制御信号処理部４２２に、音声信号は音声信号処理部４２３に、基準同期信号ＳＹＮＣは同期信号検出部４２４に、それぞれ供給する。また、分割化／多重化処理部４２１は、制御信号処理部４２２からの制御信号と、音声信号処理部４２３からの音声信号とを多重化して多重化信号を生成し、その生成した多重化信号を主装置１に供給する。
【００５０】
制御信号処理部４２２は、制御回路４１の制御信号入出力端に接続されると共に、分割化／多重化処理部４２１に接続されており、発信時及び着信時、また、終話時などにおける呼制御信号などの制御信号（主装置１からコードレス電話装置２１への制御信号と、コードレス電話装置２１から主装置１への制御信号の両方）の処理回路である。
【００５１】
音声信号処理部４２３は、無線通信回路４４に接続されると共に、分割化／多重化処理部４２１に接続されており、無線通信回路４４からの子機ＨＳ１から受信した受話音声信号及び分割化／多重化処理部４２１からの送話音声信号の処理回路である。
【００５２】
同期信号検出部４２４は、分割化／多重化処理部４２１からの基準同期信号ＳＹＮＣを受けて、当該基準同期信号ＳＹＮＣが備える所定の同期信号パターンを検出することで、その検出時点の信号として、基準同期信号ＳＹＮＣと同期する、基準同期信号ＳＹＮＣと同一周期（１３０ｍｓ）の基準同期パルスＰＳを発生する。そして、同期信号検出部４２４は、発生した基準同期パルスＰＳを同期信号発生回路４３に供給する。
【００５３】
同期信号発生回路４３は、カウンタ４３１と、同期信号生成部４３２とからなる。カウンタ４３１には、回線ＬＳＩ部４２の同期信号検出部４２４からの１３０ｍｓの周期の基準同期パルスＰＳがプリセット端子に供給されると共に、ＰＬＬ部４２５からのシステムクロック信号ＳＣＫがカウント入力として供給される。そして、このカウンタ４３１の出力カウント値ＣＮＴが同期信号生成部４３２に供給される。
【００５４】
同期信号生成部４３２は、カウンタ４３１の出力カウント値ＣＮＴから、ＤＥＣＴ規格のフレーム周期（１０ｍｓ）の同期信号ＦＬを発生する。同期信号発生回路４３は、同期信号生成部４３２で生成したフレーム同期信号ＦＬを無線通信回路４４に供給する。
【００５５】
次に、無線通信回路４４について説明する。この実施形態では、無線通信回路４４は、ＤＥＣＴ規格の無線通信を行うための汎用の親機用無線通信ＬＳＩを用いている。この無線通信回路４４は、制御部４４１と、ＴＤＭＡ変復調部４４２と、無線通信部４４３とを備えて構成されている。無線通信部４４３は、子機ＨＳ１との間で、無線通信を行うための回路部である。
【００５６】
制御部４４１は、ＴＤＭＡ変復調部４４２及び無線通信部４４３に接続されると共に、制御回路４１に接続されている。制御部４４１は、制御回路４１の制御などに応じて、この無線通信回路４４の全体の動作を制御する。また、制御部４４１は、制御回路４１から得た制御信号に基づく制御信号をＴＤＭＡ変復調部４４２に供給する。
【００５７】
ＴＤＭＡ変復調部４４２は、制御部４４１及び回線ＬＳＩ部４２の音声信号処理部４２３に接続されると共に、無線通信部４４３に接続されており、制御部４４１からの制御信号と音声信号処理部４２３からの音声信号を子機ＨＳ１に送信するために変調を行う。このＴＤＭＡ変復調部４４２で変調された信号は、無線通信部４４３を通じて子機ＨＳ１に送信される。
【００５８】
また、ＴＤＭＡ変復調部４４２は、無線通信部４４３で受信された子機ＨＳ１からの受信信号から、音声信号及び制御信号を復調し、復調した音声信号は音声信号処理部４２３に供給し、復調した制御信号は、制御部４４１に供給する。
【００５９】
そして、ＴＤＭＡ変復調部４４２は、クロック生成用のＰＬＬ部４４２１を備える。このＰＬＬ部４４２１には、発振器４６からの発振信号が供給されると共に、同期信号発生回路４３からのフレーム同期信号ＦＬが供給される。ＰＬＬ部４４２１は、同期信号発生回路４３からのフレーム同期信号ＦＬと発振器４６からの発振信号とを位相比較して、その比較結果に基づいて、発振器４６の発振信号から、フレーム同期信号ＦＬに同期するタイミング信号及びクロック信号を生成する。
【００６０】
ＴＤＭＡ変復調部４４２は、フレーム同期信号ＦＬに同期するタイミング信号及びクロック信号を用いて、割り当て使用可能となるダウンリンクでのスロットに相当する期間で子機ＨＳ１への送信信号を生成すると共に、アップリンクでのスロットを用いて、子機ＨＳ１からの受信信号の処理を行うようにする。
【００６１】
キャリアセンス部４４２２は、無線通信部４４３からの受信信号の供給を受けて、自機が使用するチャンネルのフレームにおけるスロットの使用状況を検出する。この実施形態において、キャリアセンス部４４２２は、ＰＬＬ部４４２１からのタイミング信号及びクロック信号を利用して、自機が使用するチャンネルのフレームにおいて、どのスロットが使用されているかを検出する。これにより空きスロットも特定できる。この検出結果は、制御部４４１を通じて制御回路４１のスロット制御部４１１に通知される。また、キャリアセンス部４４２２は、ノイズの多いスロットも検出できる。
【００６２】
次に、親機ＢＳ１のスロット制御部４１１が行う処理について具体的に説明する。スロット制御部４１１は、無線通信回路４４のキャリアセンス部４４２２の検出結果に基づいて、ダミーベアラとなるスロットやトラフィックベアラとなるスロットを特定する。そして、スロット制御部４１１は、特定したスロットを用いて通信を行うように、制御部４４１を通じてＴＤＭＡ変復調部４４２を制御したり、また、ダミーベアラとなったスロットやトラフィックベアラとなったスロットの解放のタイミングを制御したりする。
【００６３】
そして、通常、親機ＢＳ１は、主装置１に接続されて、子機ＨＳ１との通信のための同期処理を行い、待機中においては、特定したダミーベアラを通じて子機ＨＳ１に対して制御情報を定期的に送信する状態を維持している。すなわち、親機ＢＳ１の無線通信回路４４の制御部４４１は、ＴＤＭＡ変復調部４４２で生成した送信信号（制御情報）を、特定した１つのスロットを用いて、無線通信部４４３を通じて子機ＨＳ１に送る。この後、チャンネルサーチを行っている子機ＨＳ１から応答が返って来た時に、送信信号（制御信号）の送信に用いたスロットをダウンリンクにおけるダミーベアラとして特定し、子機ＨＳ１との間に同期を確立する。親機ＢＳ１は、ダウンリンクにおいて特定したダミーベアラを用いて、１０ｍｓごとに同期信号を含め、種々の制御情報を子機ＨＳ１に送信する。
【００６４】
また、この実施形態の親機ＢＳ１では、上述もしたように、子機情報メモリ４１２において、自機の配下の子機の識別情報と、当該識別情報により特定される子機が通信可能な状態にあるか否かを管理する。このため、上述したように、親機ＢＳ１と子機ＨＳ１との間で同期が確立されると、当該状態は制御回路４１において把握され、子機情報メモリ４１２に更新される。また、親機ＢＳ１と子機ＨＳ１とが定期的に通信を行うことにより、子機が親機との間で通信が可能な領域から外れた場合などを検知できる。このような場合にも、当該状態は制御回路４１において把握され、子機情報メモリ４１２に更新される。これにより、子機情報メモリ４１２の格納情報を参照することによって、親機ＢＳ１に対して、何台の子機が接続可能な状態になっており、実際に親機ＢＳ１との間で通信が可能な子機は何台存在しているのかを把握できる。
【００６５】
また、親機ＢＳ１は、主装置１から着信が通知された場合には、まず、子機ＨＳ１との間にデータリンクを接続し、相互に通信を可能にするために、ダミーベアラを通じてデータセッション接続要求を送信する。子機ＨＳ１は、親機からのデータセッション接続要求を受信すると、空きスロットのサーチ処理を行うと共に、ダミーベアラを通じて提供される親機ＢＳ１からの空きスロットの状況を示す情報をも考慮して通信に用いるスロット（トラフィックベアラ）を選択する。そして、子機ＨＳ１は、選択したスロット（トラフィックベアラ）を通じて、親機ＢＳ１に接続応答を通知する。
【００６６】
親機ＢＳ１のスロット制御部４１１は、子機ＨＳ１からの接続応答と、キャリアセンス部４４２２からの検出結果に基づいて、トラフィックベアラとして用いるスロットを特定する。そして、スロット制御部４１１は、制御部４４１を通じてＴＤＭＡ変復調部４４２を制御し、特定したスロットを通じて、親機ＢＳ１と子機ＨＳ１との間にデータリンクを接続し、親機ＢＳ１と子機ＨＳ１との間で相互に通信を行える状態にする。そして、親機ＢＳ１は、子機ＨＳ１に対して着信を通知し、子機ＨＳ１を通じて当該着信に対して応答できるようにする。子機ＨＳ１が応答操作を行った場合には、子機ＨＳ１から親機に応答要求を送信する。これに応じて、親機ＢＳ１が機能して、発信元との間に通話回線を接続し、発信元との間で通話を行えるようにする。
【００６７】
子機ＨＳ１から発信する場合も同様に、使用者によるオフフック操作に応じて、子機ＨＳ１は、空きスロットのサーチ処理を行うと共に、ダミーベアラを通じて提供される親機ＢＳ１からの空きスロットの状況を示す情報をも考慮して、親機ＢＳ１との間で通信に用いるスロット（トラフィックベアラ）を特定する。そして、子機ＨＳ１は、特定したスロットを通じて、親機ＢＳ１にデータセッション接続要求を通知する。
【００６８】
親機ＢＳ１のスロット制御部４１１は、子機ＨＳ１からのデータセッション接続要求と、キャリアセンス部４４２２からの検出結果に基づいて、トラフィックベアラとして用いるスロットを特定する。そして、スロット制御部４１１は、制御部４４１を通じてＴＤＭＡ変復調部４４２を制御し、特定したスロットを通じて、親機ＢＳ１と子機ＨＳ１との間にデータリンクを接続する。この後、子機ＨＳ１からの電話番号などを含む発信要求に応じて、親機ＢＳ１が機能して目的とする相手先に電話を掛けて、通話を行えるようにする。
【００６９】
そして、詳しくは後述もするが、スロット制御部４１１は、トラフィックベアラを特定して子機ＨＳ１との間にデータリンクを接続する場合に、配下に通信可能な子機が複数存在しない場合には、ダミーベアラとトラフィックベアラとが同時に存在しないように制御する。具体的には、トラフィックベアラを特定したらダミーベアラを即時に解放したり、ダミーベアラとして用いていたスロットを優先してトラフィックベアラとして特定したりするように各部を制御する。
【００７０】
このように、この実施形態の親機ＢＳ１は、スロット制御部４１１、子機情報メモリ４１２を備えることにより、ダミーベアラとトラフィックベアラとが同時に存在する場合を生じさせないようする。これにより、スロットの使用を適切に管理し、スロットが不足することによる制御の遅れや通話開始の遅れを生じさせないようにしている。
【００７１】
＜子機の構成例；図４＞
図４は、子機ＨＳ１の構成例を示すブロック図である。図４に示すように、子機ＨＳ１は、無線通信回路５１と、制御回路５２と、コーデック回路５３と、発振器５４と、マイクロホン５５と、スピーカ５６とを備えて構成されている。マイクロホン５５は送話器を構成し、スピーカ５６は受話器を構成する。
【００７２】
無線通信回路５１は、ＤＥＣＴ規格の無線通信を行うための汎用の子機用無線通信ＬＳＩを用いている。この無線通信回路５１は、制御部５１１と、ＴＤＭＡ変復調部５１２と、無線通信部５１３とを備えて構成されている。無線通信部５１３は、親機ＢＳ１との間で、無線通信を行うための回路部である。
【００７３】
制御部５１１は、ＴＤＭＡ変復調部５１２及び無線通信部５１３に接続されると共に、制御回路５２に接続されている。制御部５１１は、この無線通信回路５１の全体の動作を制御すると共に、制御回路５２から得た制御信号に基づく制御信号をＴＤＭＡ変復調部５１２に供給する。
【００７４】
ＴＤＭＡ変復調部５１２は、制御部５１１及び無線通信部５１３に接続されると共に、コーデック回路５３と接続されており、制御部５１１からの制御信号とコーデック回路５３からの音声信号を親機ＢＳ１に送信するために変調を行う。このＴＤＭＡ変復調部５１２で変調された信号は、無線通信部５１３を通じて親機ＢＳ１に送信される。
【００７５】
また、ＴＤＭＡ変復調部５１２は、無線通信部５１３で受信された親機ＢＳ１からの受信信号から、音声信号及び制御信号を復調し、復調した音声信号はコーデック回路５３に供給し、復調した制御信号は、制御部５１１に供給する。
【００７６】
そして、ＴＤＭＡ変復調部５１２は、クロック生成用のＰＬＬ部５１２１を備える。このＰＬＬ部５１２１には、発振器５４からの発振信号が供給されると共に、無線通信部５１３からの受信信号の復調信号が供給され、このＰＬＬ部５１２１からは、発振器５４からの発振信号から、受信信号の復調信号のクロック成分に同期したクロック信号が生成される。このＰＬＬ部５１２１からのクロック信号は、ＴＤＭＡ変復調部５１２における処理用クロック信号とされる。
【００７７】
コーデック回路５３は、ＴＤＭＡ変復調部５１２で復調された音声信号を復号して、アナログ音声信号に変換し、そのアナログ音声信号をスピーカ５６に供給して、受話音声として放音する。また、コーデック回路５３は、マイクロホン５５で収音したアナログ音声信号を符号化して、ＴＤＭＡ変復調部５１２に供給するようにする。
【００７８】
なお、制御回路５２は、この子機ＨＳ１からの発呼時には、発呼時の呼制御信号を、無線通信回路５１を通じて親機ＢＳ１に送信し、また、親機ＢＳ１からの着信時の呼制御信号を受けた時には、着信音をスピーカ５６から放音するなどの処理を行う。
【００７９】
また、無線通信回路５１のキャリアセンス部５１２２は、ＰＬＬ部５１２１からのタイミング信号及びクロック信号を利用して、自機が使用するチャンネルのフレームにおいて、どのスロットが使用されているかを検出する。これにより空きスロットも特定できる。この検出結果は、制御部５１１を通じて制御回路５２のスロット制御部５２１に通知される。また、キャリアセンス部５１２２は、ノイズの多いスロットなどの検出もできる。
【００８０】
制御回路５２のスロット制御部５２１は、着信や発信が発生し、まず、親機ＢＳ１と子機ＨＳ１との間にデータリンクを接続し、相互に通信ができるようにする場合には、適切なスロットをトラフィックベアラとして特定して、データリンクを接続できるように制御する。この場合、スロット制御部４１１は、無線通信回路５１のＴＤＭＡ変復調部５１２に設けられているキャリアセンス部５１２２での検出結果や親機ＢＳ１からのキャリアセンス情報などに基づいて使用するスロットを特定する。そして、制御回路５１２は、特定したスロットをトラフィックベアラとして用いて通信を行うように、無線通信回路５１の制御部５１１を制御する。
【００８１】
これにより、待機状態にあるときに、無線通信回路５１の制御部５１１は、自機に対応する親機ＢＳ１からの制御信号に応じてＴＤＭＡ変復調部５１２を制御し、ダミーベアラとされたスロットを通じて送信されてくる制御信号を受信して、これを利用可能にする。また、着信時や発信時において、無線通信回路５１の制御部５１１は、制御回路５２のスロット制御部５２１の制御に応じて、トラフィックベアラとして用いるスロットを通じて、親機ＢＳ１との間にデータリンクを接続するように制御する。
【００８２】
そして、制御回路５２は、制御部５１１を通じて親機ＢＳ１からの着信通知を受け付けて、使用者に着信を通知し、使用者からの応答操作に応じて着信に応答するように各部を制御する。また、制御回路５２は、使用者からの発信操作に応じて、制御部５１１を通じて発信処理を行って、目的とする相手先に電話を掛けたりするように各部を制御する。
【００８３】
以上の説明は、コードレス電話装置２１の親機ＢＳ１及び子機ＨＳ１についての説明であるが、前述したように、その他のコードレス電話装置２２〜２ｎの親機ＢＳ２〜ＢＳｎ及び子機ＨＳ２〜ＨＳｎについても同様の構成を有するものである。
【００８４】
［親機に複数の子機が接続されている場合のスロットの利用制御］
１台の親機に複数台の子機が接続されている場合における、スロットの利用制御について説明する。図５は、親機に対して複数台の子機が接続された場合の例を示す図である。ここでは、図５に示すように、図３を用いて説明した構成を有する親機ＢＳ１に対して、図４を用いて説明した構成を有する３台の子機ＨＳ１Ａ、ＨＳ１Ｂ、ＨＳ１Ｃが接続されている場合を考える。
【００８５】
図６は、親機ＢＳ１と子機ＨＳ１Ａ、ＨＳ１Ｂ、ＨＳ１Ｃからなるコードレス電話装置が待機状態にあるときに、親機ＢＳ１から制御情報を送信する場合のスロットの利用態様の例を説明するための図である。コードレス電話装置が待機状態にあるときには、親機ＢＳ１は、ダウンリンク中の選択された１つのスロットをダミーベアラとして用いて、子機ＨＳ１Ａ、ＨＳ１Ｂ、ＨＳ１Ｃのそれぞれに同期信号を含め、種々の制御情報を送信する。図６に示した例の場合、親機ＢＳ１は、ダウンリンク中のスロットＳ２をダミーベアラとして用いて、同期信号や種々の制御情報を配下の子機ＨＳ１Ａ、ＨＳ１Ｂ、ＨＳ１Ｃに対して送信している。
【００８６】
このように、待機状態にあるときには、親機ＢＳ１は、１つのスロットをダミーベアラとして用いて、配下の全ての子機ＨＳ１Ａ、ＨＳ１Ｂ、ＨＳ１Ｃに対して同期信号や種々の制御情報を送信する。待機状態にあるときの子機ＨＳ１Ａ、ＨＳ１Ｂ、ＨＳ１Ｃのそれぞれは、ダミーベアラを通じて送信されてくる情報を受信するのみで、親機に対して情報の送信は行わない。但し、データ通信はダウンリンクとアップリンクとで対となるスロットを使用するため、ダミーベアラとして使用しているスロットＳ２に対応するアップリンク側のスロットＳ１４は使用できない態様になっている。
【００８７】
図７（Ａ）は、図６に示した待機状態にあるときに、着信が発生した場合のスロットの利用態様について説明するための図である。すなわち、図６に示した待機状態にあるときに着信が発生し、親機ＢＳ１がダミーベアラであるスロットＳ２を通じて子機ＨＳ１Ａ、ＨＳ１Ｂ、ＨＳ１Ｃにデータセッション接続要求を送信したとする。これに応じて、子機ＨＳ１Ａが反応し、制御回路５２のスロット制御部５２１が機能し、キャリアセンス部５１２２の検出結果と親機ＢＳ１からの空きスロットの情報に基づいて、アップリンクのスロットＳ１６を用いるスロットとして特定し、このスロットＳ１６を通じて接続応答を送信してきた場合を示している。
【００８８】
このように、この例においては、着信に応じた親機ＢＳ１からの要求でデータリンクを接続する場合にも、また、使用者の子機に対する発信操作に応じて、子機からの要求でデータリンクを接続する場合にも、接続開始は子機から行う。図７（Ａ）に示した例の場合、親機ＢＳ１からのデータセッション接続要求に反応した子機ＨＳ１Ａは、ダミーベアラとして用いられているスロット（Ｓ２、Ｓ１４）以外のスロットをトラフィックベアラとして選択し、当該選択したスロットを通じて親機に接続応答を送信する。
【００８９】
図７（Ａ）に示した例の場合には、親機からのデータセッション接続要求に応じた子機ＨＳ１Ａは、スロットＳ１６を用いるスロットとして特定し、このスロットＳ１６を通じて親機ＢＳ１に対して接続応答を送信している。これに応じて、親機ＢＳ１は、制御回路４１のスロット制御部４１１が機能し、子機ＨＳ１Ａからの接続応答と、自機におけるスロットセンスの検出結果に応じて、アップリンクとダウンリンクとのそれぞれにおいて、トラフィックベアラとして用いるスロットを特定し、特定したスロットを通じて子機ＨＳ１Ａとの間でデータリンクを形成する。
【００９０】
図７（Ａ）に示した例の場合には、親機ＢＳ１は、アップリンクでは子機ＨＳ１Ａからの要求に応じてスロットＳ１６をトラフィックベアラとして特定し、ダウンリンクではスロットＳ４をトラフィックベアラとして特定した場合を示している。そして、図７（Ａ）に示した状態にあるときには、ダウンリンクのトラフィックベアラとしてスロットＳ４を用いることを、接続応答を送信してきた子機ＨＳ１Ａ以外の子機ＨＳ１Ｂ、ＨＳ１Ｃにも通知しなければならないために、ダミーベアラＳ２、Ｓ１４はそのまま維持される。
【００９１】
このため、図７（Ａ）に示すように、ダミーベアラとしてのスロットＳ２、Ｓ１４と、トラフィックベアラとしてのスロットＳ４、Ｓ１６とのダウンリンクとアップリンクとのそれぞれで２つスロットは利用状態となっている。これらの利用状態となっているスロットＳ２、Ｓ４、Ｓ１４、Ｓ１６は、他のコードレス電話装置で利用できない状態になっている。そして、ダミーベアラを通じて、接続応答の送信元である子機ＨＳ１Ａ以外の子機ＨＳ１Ｂ、ＨＳ１Ｃにもトラフィックベアラを通知した後に、ダミーベアラはトラフィックベアラにマージされる。
【００９２】
図７（Ｂ）は、図７（Ａ）に示した状態からダミーベアラをトラフィックベアラにマージした場合のスロットの利用態様をするための図である。ダミーベアラとして用いられているスロットＳ２、Ｓ１４は、トラフィックベアラとしてスロットＳ４、Ｓ１６を用いることをＢＳ１の配下の子機ＨＳ１Ｂ、ＨＳ１Ｃにも通知した後にマージされる。すなわち、図７（Ｂ）に示すように、ダミーベアラとしてのスロットＳ２は、トラフィックベアラとしてのスロットＳ４にマージされ、スロットＳ４を通じて、制御情報などが親機ＢＳ１から子機ＨＳ１Ａ、ＨＳ１Ｂ、ＨＳ１Ｃに送信され、また、音声情報はスロットＳ４を通じて子機ＨＳ１Ａだけが受信可能な態様で送信される。また、アップリンクにおいても、ダミーベアラとして用いられていたスロットＳ２に対応するアップリンクのスロットＳ１４は、トラフィックベアラとして特定されたスロットＳ１６にマージされる。
【００９３】
しかし、上述もしたように、親機ＢＳ１に接続される子機ＨＳ１Ａ、ＨＳ１Ｂ、ＨＳ１Ｃのそれぞれは、６４０ｍｓの周期で一定時間動作状態となり、それ以外の時間ではスリープ状態となっている。このため、図７（Ａ）に示したように、トラフィックベアラとダミーベアラとが存在するする時間帯が約１秒前後存在することになる。この約１秒前後の時間においては、スロットを効率よく利用できない状態になっている。
【００９４】
ここで、図７（Ａ）に示した状態から図７（Ｂ）に示した状態に遷移するまでに時間がかかる原因をより詳細に説明する。図８、図９は、ダミーベアラを通じて行われる親機から子機への制御情報などの送信と子機の動作周期との関係を説明するための図である。図８に示すように、親機ＢＳ１の配下の子機ＨＳ１Ａ、ＨＳ１Ｂ、ＨＳ１Ｃのそれぞれは、待機状態にあるときには、６４０ｍｓ周期で数十ミリ秒程度動作し、それ以外の時間ではスリープ状態になっている。
【００９５】
ここで、スリープ状態は、制御回路などのメモリの記憶情報は保持するが、その他の回路部分には電源を供給せずに動作を停止させている状態をいう。また、子機ＨＳ１Ａ、ＨＳ１Ｂ、ＨＳ１Ｃにおける６４０ｍｓの開始タイミングは子機ごとにランダムであるが、周期は６４０ｍｓと共通であるので、６４０ｍｓの期間において、各子機は必ず１回、動作状態になる。
【００９６】
このため、図８に示すように、待機状態にあるコードレス電話装置の親機ＢＳ１は、１０ｍｓごとにダミーベアラを通じて、同期信号を含め、種々の制御情報などを配下の子機ＨＳ１Ａ、ＨＳ１Ｂ、ＨＳ１Ｃに送信する。すなわち、待機状態にあるときに、親機ＢＳ１は、１０ｍｓごとに６４回分は同じ情報を、ダミーベアラを通じて配下の子機に送信する。
【００９７】
そして、図７（Ａ）を用いて説明したように、着信が発生し、親機ＢＳ１が配下の子機ＨＳ１Ａ、ＨＳ１Ｂ、ＨＳ１Ｃに対してデータセッション接続要求を送信し、これに応じて動作状態にあった子機ＨＳ１Ａが最初に接続応答を親機ＢＳ１に送信したとする。図９は、子機ＨＳ１Ａ、ＨＳ１Ｂ、ＨＳ１Ｃの内、親機からのデータセッション接続要求に応じて、子機ＨＳ１Ａが接続応答を親機に送信した場合の状態を示している。
【００９８】
親機ＢＳ１は、子機ＨＳ１からの接続応答と通信に用いるチャンネルのフレームにおけるスロットの使用状況に応じて、トラフィックベアラを特定し、子機ＨＳ１Ａとの間にデータリンクを接続して通信を開始する。この時、特定されたトラフィックベアラを通じて通信を行えるのは、親機ＢＳ１と発信元の子機ＨＳ１Ａだけである。そこで、他の子機ＨＳ１Ｂ、ＨＳ１Ｃに対して、制御情報などを伝送するトラフィックベアラとなったスロットを通知しなければならない。
【００９９】
このため、親機ＢＳ１と子機ＨＳ１Ａとの間でトラフィックベアラを特定した後においても、図９に示すように、６４０ｍｓの期間においては、ダミーベアラを通じて新たにトラフィックベアラとなったスロットを子機ＨＳ１Ｂ、ＨＳ１Ｃに通知する処理を１０ｍｓごとに行う処理を継続させる。そして、親機ＢＳ１と子機ＨＳ１Ａとの間でトラフィックベアラを特定した後、他の全ての子機にトラフィックベアラとなったスロットを通知して、ダミーベアラを解放するまでには、種々の処理期間なども考慮すると、約１秒前後の時間がかかることになる。
【０１００】
このように、コードレス電話装置の場合には、親機に複数台の子機が接続されることを考慮して、ダミーベアラのトラフィックベアラへのマージ処理には１秒前後の時間がかかるようになっている。そして、ダミーベアラのトラフィックベアラへのマージ処理の開始から終了までにかかる１秒前後の期間においては、ダウンリンクとアップリンクとのそれぞれにおいて、実質２スロットが使用される。
【０１０１】
このような状況は、一般家庭での利用（ホームユース）や収容台数の少ないＳＯＨＯ（Small Office/Home Office）向けの電話システムの場合には影響はない。しかし、多くの収容台数が求められるビジネスユースの場合には、着信通知が遅延したり、着信が通知されなかったりする不都合が生じる懸念がある。図１０は、この実施形態の電話システムにおいて、コードレス電話装置が有する特性に基づいて発生する可能性のある問題点について説明するための図である。
【０１０２】
図１０に示すように、この実施形態の電話システムとして、主装置１に対して、８台のコードレス電話装置２１〜２８が接続されている場合を想定する。この場合に、各コードレス電話装置２１〜２８のそれぞれは、１台の親機に対して、１台の子機が接続されて構成されているものとする。すなわち、親機には複数台の子機は接続されていない。この場合に、コードレス電話装置２１〜２８のそれぞれは、同じチャンネル（１周波数）を用いて通信を行うものとする。
【０１０３】
そして、上述もしたように、待機状態にあるときには、コードレス電話装置２１〜２８のそれぞれは、ダミーベアラとして選択したスロットを通じて、同期信号を含め、種々の制御情報を親機から子機に送信している。図１０に示した例の場合には、コードレス電話装置２１はスロットＳ０を、コードレス電話装置２２はスロットＳ１を、コードレス電話装置２３はスロットＳ２を、…というように、各コードレス電話装置は１つダミーベアラを用いて制御情報などを親機から子機に送信している。
【０１０４】
この場合、主装置１に収容されているコードレス電話装置は８台であるので、図１０に示すように、ダウンリンクにはスロットＳ８〜Ｓ１１、アップリンクにはスロットＳ２０〜Ｓ２３というように、それぞれのリンクにおいて、４スロット分しか空きがない。この時に、一斉着信が発生すると、コードレス電話装置２１〜２８のそれぞれにおいては、一斉に親機から子機に対して、データセッション接続要求を送信するので、コードレス電話装置２１〜２８のそれぞれにおいては、一斉にトラフィックベアラの取得処理を開始する。
【０１０５】
この場合、コードレス電話装置２１〜２８は、空きスロットＳ８〜Ｓ１１の取り合いになる。基本的に早い者勝ちでスロットが取得されるので、スロットが取得できなかったコードレス電話装置は、スロットを取得したコードレス電話装置がダミーベアラを解放するまでスロットは取得できず、待ち状態となってしまう。この場合、トラフィックベアラを取得できなかったコードレス電話装置には、親機から子機に対して着信通知を送信できないので、着信通知が遅れ、着信通知のための鳴動開始が遅れる。
【０１０６】
そこで、この実施形態のコードレス電話装置２１〜２ｎにおいては、ダミーベアラの即時解放、あるいは、ダミーベアラとして利用しているスロットを優先的にトラフィックベアラに割り当てるといった対応をとる。これにより、コードレス電話装置２１〜２ｎのそれぞれにおいて、トラフィックベアラを迅速に特定（取得）し、親機と子機との間にデータリンクを接続して、相互に通信が可能な状態を確立し、着信通知が遅れないようにしている。
【０１０７】
［ダミーベアラの即時解放処理］
まず、ダミーベアラを即時に解放する処理を行う場合のコードレス電話装置の処理について説明する。ここでも、親機ＢＳ１と子機ＨＳ１とからなるコードレス電話装置２１が動作する場合を例にして説明する。図１１は、着信が発生した場合のコードレス電話装置２１の処理を説明するためのシーケンス図である。また、図１２は、コードレス電話装置２１から発信を行う場合の処理を説明するためのシーケンス図である。
【０１０８】
［着信が発生した場合の処理］
まず、ダミーベアラを即時に解放する処理を行う場合のコードレス電話装置において、着信が発生した場合の処理について説明する。図１１に示すように、待機時においては、上述もしたように、親機ＢＳ１は、１０ｍｓ周期でダミーベアラを通じて、同期信号、キャリアセンス通知、種々の制御情報を送信している。この時に、コードレス電話装置２１が接続されている電話システムに着信があり、呼制御信号により主装置１から親機ＢＳ１に着信が通知されたとする（ステップＡ１）。この場合、親機ＢＳ１の制御回路４１は、無線通信回路４４を制御し、自機の配下の子機に対して、ダミーベアラを通じてデータセッション接続要求を形成して送信する（ステップＡ２）。
【０１０９】
親機ＢＳ１からのデータセッション接続要求を受信した子機ＨＳ１は、制御回路５２のスロット制御部５２１が機能し、親機からのキャリアセンス通知の内容と自機のキャリアセンス部５１２２で行っているキャリアセンス処理の結果とに基づいて、通信に利用可能な最適なスロットを選択する。そして、子機ＨＳ１のスロット制御部５２１は、選択したスロットをトラフィックベアラとして使用するように要求する応答要求を形成し、これを選択した当該スロットを通じて親機ＢＳ１に送信する（ステップＡ３）。
【０１１０】
親機ＢＳ１の制御回路４１のスロット制御部４１１は、子機ＨＳ１からの応答要求を受信すると、自機のキャリアセンス部４４２２においてのキャリアセンス処理の結果に基づいて、子機ＨＳ１からの要求に応じたスロットがトラフィックベアラとして使用か否かを判別する。そして、使用可能であれば、スロット制御部４１１は、子機ＨＳ１からの要求に応じたスロットをトラフィックベアラとして用いることを特定する。そして、スロット制御部４１１は、当該スロットをトラフィックベアラとして用いることを通知する接続応答を形成して、これを特定した当該スロットを通じて要求元の子機ＨＳ１に送信する（ステップＡ４）。
【０１１１】
なお、親機ＢＳ１において、子機ＨＳ１からの要求に応じたスロットが、例えば他のコードレス電話装置によって使用されてしまっていたり、ノイズが多かったりするなどの理由により、トラフィックベアラとして利用できないと判別したとする。この場合には、親機ＢＳ１は、例えば、接続応答を子機ＨＳ１に送信しない対応を取る。そして、親機ＢＳ１からの接続応答が所定時間以内に到達しなかった子機ＨＳ１は、再度、最適なスロットを特定し、これをトラフィックベアラとして用いるようにする応答要求を親機ＢＳ１に送信することになる。
【０１１２】
ステップＡ４の処理の後において、親機ＢＳ１のスロット制御部４１１は、無線通信回路４４を制御して、ダミーベアラとして用いていたスロットを即座に解放する（ステップＡ５）。これにより、ダミーベアラとトラフィックベアラとの両方が併存する期間を生じさせないようにできる。そして、親機ＢＳ１と子機ＨＳ１との間には、トラフィックベアラとして特定されたスロットを通じて相互に通信が可能な状態が形成され、この状態になって初めて、親機ＢＳ１から子機ＨＳ１に対して呼制御信号として着信が通知される（ステップＡ６）。
【０１１３】
このように、親機ＢＳ１と子機ＨＳ１との間がトラフィックベアラにより接続され、相互に通信が可能な状態を、親機ＢＳ１と子機ＨＳ１との間にデータリンクが形成されるという。この場合、アップリンクにおいては、子機ＨＳ１により選択されたスロットが、また、ダウンリンクにおいては、アップリンクで選択されたスロットに対応するスロットが、それぞれトラフィックベアラとして選択されて用いられる。そして、ダウンリンクのトラフィックベアラを通じては、着信通知などの呼制御信号を含め、同期信号や種々の制御情報なども送信される。
【０１１４】
親機ＢＳ１から着信が通知された子機ＨＳ１では、制御回路５２が機能し、着信音を放音したり、所定のＬＥＤ（Light Emitting diode）を点滅させたりするなどの着信通知処理を実行する（ステップＡ７）。これに応じて、コードレス電話装置２１の使用者が子機ＨＳ１を通じて応答操作を行うと（ステップＡ８）、子機ＨＳ１の制御回路５２が機能し、接続要求を形成して、これを接続されたトラフィックベアラを通じて親機ＢＳ１に送信する（ステップＡ９）。
【０１１５】
親機ＢＳ１の制御回路４１は、子機ＨＳ１からの接続要求を受信すると、発信元との間に通信回線を接続するように処理し、トラフィックベアラを通じて接続応答を子機ＨＳ１に送信する（ステップＡ１０）。これにより、発信元と子機ＨＳ１との間に、主装置１及び親機ＢＳ１を通じて通話回線が接続され、トラフィックベアラを通じて通話ができるようにされる（ステップＡ１１）。なお、通話が完了した後においては、トラフィックベアラは解放され、ダミーベアラが設定されて、待機状態に遷移する。
【０１１６】
このように、着信が発生した場合に、親機ＢＳ１は子機ＨＳ１からの要求に応じてトラフィックベアラを取得する場合に、トラフィックベアラが取得（特定）できたら即座にダミーベアラを解放する。これにより、トラフィックベアラとダミーベアラとが併存する期間をなくし、スロットの空きを効率よく確保できる。
【０１１７】
［発信を行う場合の処理］
次に、ダミーベアラを即時に解放する処理を行う場合のコードレス電話装置において、自機から発信を行う場合の処理について説明する。上述もし、また、図１２にも示すように、待機時においては、親機ＢＳ１は、１０ｍｓ周期でダミーベアラによりキャリアセンス通知などの同期信号や種々の制御情報を送信している。この時に、子機ＨＳ１に設けられているオフフックボタンが押下操作されるオフフック操作がされたとする（ステップＢ１）。
【０１１８】
オフフック操作を受け付けた子機ＨＳ１のスロット制御部５２１は、ダミーベアラにより通知されている親機からのキャリアセンス通知の内容と自機のキャリアセンス部５１２２において行っているキャリアセンス処理の結果とに基づいて、通信に利用可能な最適なスロットを選択する。そして、子機ＨＳ１のスロット制御部５２１は、選択したスロットをトラフィックベアラとして使用するように要求する接続要求を形成し、無線通信回路５１を制御して、当該接続要求を選択したスロットを通じて親機ＢＳ１に送信する（ステップＢ２）。
【０１１９】
親機ＢＳ１のスロット制御部４１１は、子機ＨＳ１からの接続要求を受信すると、自機のキャリアセンス部４４２２においてのキャリアセンス処理の結果に基づいて、子機ＨＳ１からの要求に応じたスロットがトラフィックベアラとして使用か否かを判別する。そして、使用可能であれば、スロット制御部４１１は、子機ＨＳ１からの要求に応じたスロットをトラフィックベアラとして用いることを特定する。そして、スロット制御部４１１は、トラフィックベアラと用いるスロットを通知する接続応答を形成して、無線通信回路４４を制御し、形成した接続応答を特定したスロットを通じて、要求元の子機ＨＳ１に送信する（ステップＢ３）。
【０１２０】
なお、上述もしたように、親機ＢＳ１において、子機ＨＳ１からの要求に応じたスロットがトラフィックベアラとして利用できないと判別した場合には、親機ＢＳ１は、例えば接続応答を子機ＨＳ１に送信しない対応を取る。この場合には、上述もしたように、子機ＨＳ１は、再度、最適なスロットを特定し、これをトラフィックベアラとして用いるようにする応答要求を親機ＢＳ１に送信することになる。
【０１２１】
ステップＢ３の処理の後において、親機ＢＳ１はダミーベアラとして用いていたスロットを即座に解放する（ステップＢ４）。これにより、ダミーベアラとトラフィックベアラとの両方が併存する期間を生じさせないようにできる。そして、親機ＢＳ１と子機ＨＳ１との間には、トラフィックベアラを通じて相互に通信が可能な状態が形成される（ステップＢ５）。
【０１２２】
この場合、アップリンクにおいては、子機ＨＳ１により選択されたスロットが、また、ダウンリンクにおいては、アップリンクで選択されやスロットに対応するスロットが、それぞれトラフィックベアラとして特定されて用いられる。また、ダウンリンクのトラフィックベアラを通じては、同期信号や制御情報なども送信される。
【０１２３】
この後、子機ＨＳ１が、使用者からのダイヤル操作や電話帳からの相手先の選択入力を受け付けたとする（ステップＢ６）。この場合、子機ＨＳ１の制御回路５２は、相手先の電話番号などの必要な情報を含む発信要求を形成し、無線通信回路５１を制御して、当該発信要求を、トラフィックベアラを通じて親機ＢＳ１に送信する（ステップＢ７）。
【０１２４】
親機ＢＳ１の制御回路４１は、子機ＨＳ１からの発信要求を受信すると、着信先との間に通信回線を接続するように処理し、トラフィックベアラを通じて接続応答を子機ＨＳ１に送信する（ステップＢ８）。これにより、発信元と子機ＨＳ１との間に、主装置１及び親機ＢＳ１を通じて通話回線が接続され、トラフィックベアラを通じて通話ができるようにされる（ステップＢ９）。なお、通話が完了した後においては、トラフィックベアラは解放され、ダミーベアラが設定されて、待機状態に遷移することになる。
【０１２５】
このように、コードレス電話装置２１の子機ＨＳ１から発信する場合にも、親機ＢＳ１は子機ＨＳ１からの要求に応じてトラフィックベアラを取得する場合に、トラフィックベアラが取得（特定）できたら即座にダミーベアラを解放する。これにより、トラフィックベアラとダミーベアラとが併存する期間をなくし、スロットの空きを効率よく確保できる。
【０１２６】
［親機に複数の子機が接続されている場合］
この実施形態のコードレス電話装置２１は、親機ＢＳ１に対して、対応する子機ＨＳ１が１台だけ接続された構成としている。このため、図１１、図１２を用いて説明したように、トラフィックベアラとなるスロットの取得後において、即座にダミーベアラを解放できた。しかし、親機ＢＳ１に対して、複数の子機が接続されている場合には、ダミーベアラを即座に解放できない。上述もしたように、トラフィックベアラを接続した子機以外の子機に対して、同期情報や制御情報が送信されることになる当該トラフィックベアラとなったスロットを、ダミーベアラを通じて通知しなければならないためである。
【０１２７】
コードレス電話装置２１の親機ＢＳ１では、上述もしたように、子機情報メモリ４１２を備え、自機の配下の子機の子機情報を管理している。上述もしたように、親機ＢＳ１では、配下の子機ＨＳ１Ａ、ＨＳ１Ｂ、ＨＳ１Ｃとの間で同期が確立されると、当該状態は制御回路４１において把握され、子機情報メモリ４１２に更新される。また、親機ＢＳ１と、配下の子機ＨＳ１Ａ、ＨＳ１Ｂ、ＨＳ１Ｃとが定期的に通信を行うことにより、子機が親機との間で通信が可能な領域から外れた場合などを検知できるので、その状態を子機情報メモリ４１２で管理できる。
【０１２８】
このため、親機ＢＳ１の制御回路４１に設けられたスロット制御部４１１は、子機情報メモリ４１２で記憶保持されている最新の子機情報を考慮して、配下の子機が１台だけか否かに応じて、ダミーベアラを即時に解放できるか否かを判別する。図１３は、子機情報メモリ４１２の格納データの例を説明するための図である。
【０１２９】
図１３に示すように、親機ＢＳ１の子機情報メモリ４１２には、自機の配下の子機を特定する子機ＩＤと当該子機と自機（親機）との間の通信状態を示す通信状態情報とが格納される。そして、図１３（Ａ）に示すように、子機情報メモリ４１２に対して、自機の配下の子機として、子機ＩＤがＨＳ１Ａである子機だけが登録されており、子機ＩＤがＨＳ１Ａである子機と親機ＢＳ１とが「通信可」の状態にあると時には、親機ＢＳ１のスロット制御部４１１は、自機の配下の子機は１台だけであると判別できる。
【０１３０】
また、図１３（Ｂ）に示すように、子機情報メモリ４１２に対して、自機の配下の子機として、子機ＩＤがＨＳ１Ａ、ＨＳ１Ｂ、ＨＳ１Ｃの３台が登録されているが、親機ＢＳ１との間で「通信可」となっているのは、子機ＩＤがＨＳ１Ａの子機だけであったとする。この場合にも、親機ＢＳ１のスロット制御部４１１は、自機の配下の子機は１台だけであると判別できる。
【０１３１】
また、図１３（Ｃ）に示すように、子機情報メモリ４１２に対して、自機の配下の子機として、子機ＩＤがＨＳ１Ａ、ＨＳ１Ｂ、ＨＳ１Ｃの３台が登録されているが、親機ＢＳ１との間で「通信可」となっているのは、子機ＩＤがＨＳ１ＡとＨＳ１Ｂの２台の子機であったとする。この場合には、親機ＢＳ１のスロット制御部４１１は、自機の配下の子機は１台だけではない（複数台存在する）と判別できる。
【０１３２】
このように、親機ＢＳ１のスロット制御部４１１は、配下の子機との間で所定のタイミングごとに通信を行うことで、子機情報メモリ４１２に対して、自機と自機の配下の子機との接続状態を管理できる。そして、子機情報メモリ４１２に記憶されている情報に基づいて、上述もしたように、自機の配下の子機の台数を適切に判別できる。すなわち、親機ＢＳ１は、自機の配下の子機であって、自機との間で通信が可能になっている子機の台数を常時適切に把握できるようになっている。そして、自機と通信可能な自機の配下の子機の台数に応じて、ダミーベアラの解放処理を適切なタイミングで行うことができるようにしている。
【０１３３】
［親機ＢＳ１でのトラフィックベアラ取得及びダミーベアラ解放処理］
図１４は、親機ＢＳ１で行われるトラフィックベアラ取得及びダミーベアラ解放処理を説明するためのフローチャートである。図１４に示す処理は、親機ＢＳ１に電源が投入された後において、親機ＢＳ１の主に制御回路４１が機能して各部を制御することにより実行される処理であり、図１１、図１２のシーケンス図で説明した親機ＢＳ１で実行される処理に対応している。
【０１３４】
図１４のフローチャートに示す処理が実行されると、待機中において、制御回路４１のスロット制御部４１１は、設定したダミーベアラを通じて、同期信号や種々の制御情報を配下の子機に対して送信する処理を開始する（ステップＳ１０１）。ダミーベアラを通じた制御情報などの送信は、制御回路４１のスロット制御部４１１が、無線通信回路４４の制御部４４１を通じて、ＴＤＭＡ変復調部４４２を制御することにより、１０ｍｓ周期で行う。
【０１３５】
制御回路４１のスロット制御部４１１は、主装置１から着信が通知されたか否かを判別し（ステップＳ１０２）、着信が通知されたと判別したときには、データセッション接続要求を形成して、配下の子機に対してダミーベアラを通じて送信する（ステップＳ１０３）。ステップＳ１０２の判別処理において、着信は通知されていないと判別した場合は、ステップＳ１０２からの処理に戻る。ステップＳ１０３のデータセッション接続要求の送信後においては、制御回路４１のスロット制御部４１１は、無線通信回路４４を通じて、子機からの応答要求や接続要求を待つ（ステップＳ１０４）。
【０１３６】
そして、制御回路４１のスロット制御部４１１は、子機からの要求を受信したか否かを判別する（ステップＳ１０５）。ステップＳ１０５の判別処理において、子機からの要求を受信していないと判別したときには、スロット制御部４１１は、ステップＳ１０２からの処理を繰り返す。一方、ステップＳ１０５の判別処理において、子機からの要求を受信したと判別したとする。この場合、スロット制御部４１１は、トラフィックベアラとして用いるスロットを取得（特定）し、特定したトラフィックベアラを用いてデータリンクを接続するようにする接続応答を形成し、これを取得したトラフィックベアラを通じて要求元の子機に送信する（ステップＳ１０６）。
【０１３７】
ステップＳ１０６において、制御回路４１は、自機の無線通信回路４４のキャリアセンス部４４２２でのキャリアセンス結果と、子機からの要求に含まれるスロットを示す情報などに応じて、トラフィックベアラとして用いるスロットを取得（特定）する。そして、接続応答は、スロット制御部４１１から無線通信回路４４の制御部４４１を通じてＴＤＭＡ変復調部４４２に供給され、ここで変調された後に、無線通信部４４３を通じて要求元の子機に送信される。
【０１３８】
この後、制御回路４１のスロット制御部４１１は、子機情報メモリ４１２の格納データを参照し、自機に接続可能な子機であって、かつ、自機との間で通信が可能な子機は、１台だけか否かを判別する（ステップＳ１０７）。ステップＳ１０７の判別処理で、自機との間で通信が可能な機器は１台だけであると判別したとする。この場合、親機ＢＳ１は配下の他の子機に対して、トラフィックベアラとして取得したスロットを通知する必要はないので、即座にダミーベアラを解放する（ステップＳ１０８）。
【０１３９】
一方、ステップＳ１０７の判別処理で、自機との間で通信が可能な機器は１台だけではないと判別したとする。この場合、親機ＢＳ１は配下の他の子機に対して、トラフィックベアラとして取得したトラフィックベアラとして用いるスロットを通知する必要がある。そこで、制御回路４１のスロット制御部４１１は、現在用いている既存のダミーベアラを通じて、トラフィックベアラとして取得したスロットを通知する処理を子機の動作周期である６４０ｍｓの間行うようにした後に、ダミーベアラを解放する（ステップＳ１０９）。
【０１４０】
ステップＳ１０８の処理とステップＳ１０９の処理の後においては、ダウンリンクとアップリンクとに取得したトラフィックベアラを通じて、親機ＢＳ１と子機ＨＳ１とが相互に通信が可能な状態であるデータリンクが接続された状態となる。このため、親機ＢＳ１の制御回路４１は、子機ＨＳ１の使用者の応答操作やダイヤル操作などに応じて、目的とする相手先との間に通信回線を接続し、通話を行うなどの通信処理を行う（ステップＳ１１０）。
【０１４１】
ステップＳ１１０の通信処理が終了すると、制御回路４１のスロット制御部４１１は、用いていたトラフィックベアラを解放し、ダミーベアラを設定して、当該ダミーベアラを通じた同期信号や制御情報の送信処理を再開し（ステップＳ１１１）、ステップＳ１０２からの処理を繰り返す。
【０１４２】
これにより、親機ＢＳ１に対して子機が１台だけしか接続されていない場合には、トラフィックベアラとして用いるスロットの取得後、ダミーベアラとして用いていたスロットを即時に解放できる。これにより、ダミーベアラとトラフィックベアラとが併存する期間を生じさせずにスロットの有効利用が図られる。
【０１４３】
これに対し、親機ＢＳ１に対して子機が複数台接続されている場合には、トラフィックベアラとして用いるスロットの取得後、ダミーベアラを通じて、当該トラフィックベアラとなったスロットを他の子機に通知した後に、ダミーベアラを解放できる。これにより、親機ＢＳ１との間にトラフィックベアラを最初に接続した子機だけでなく、その他の子機にもトラフィックベアラとなったスロットを通知し、当該スロットを通じて同期信号や制御信号を供給できる。これにより、親機ＢＳ１との間にトラフィックベアラを最初に接続した子機だけでなく、その他の子機についても適切な動作を継続させることができる。
【０１４４】
［ダミーベアラとして用いているスロットの優先利用］
次に、ダミーベアラとして利用しているスロットを優先的にトラフィックベアラに割り当てる場合のコードレス電話装置の処理について説明する。ここでも、親機ＢＳ１と子機ＨＳ１とからなるコードレス電話装置２１が動作する場合を例にして説明する。図１５は、着信が発生した場合のコードレス電話装置２１の処理を説明するためのシーケンス図である。また、図１６は、コードレス電話装置２１から発信を行う場合の処理を説明するためのシーケンス図である。
【０１４５】
［着信が発生した場合の処理］
まず、ダミーベアラとして利用しているスロットを優先的にトラフィックベアラに割り当てる処理を行うコードレス電話装置２１において、着信が発生した場合の処理について説明する。上述もし、また、図１５にも示すように、待機時においては、親機ＢＳ１は、１０ｍｓ周期でダミーベアラによりキャリアセンス通知などの同期信号や種々の制御情報を送信している。この時に、コードレス電話装置２１が接続されている電話システムに着信があり、呼制御信号により主装置１から親機ＢＳ１に着信が通知されたとする（ステップＡ２１）。
【０１４６】
この場合、親機ＢＳ１の制御回路４１のスロット制御部４１１は、現在、ダミーベアラとして用いているスロットをトラフィックベアラとして用いるスロットとして特定する。そして、親機ＢＳ１の制御回路４１のスロット制御部４１１は、トラフィックベアラとして用いるように特定し、現時点ではダミーベアラとして用いている当該スロットを通じて、データリンクを形成するようにし、子機ＨＳ１に対して着信通知を行う（ステップＡ２２）。
【０１４７】
このステップＡ２２において親機ＢＳ１は、ダウンリンクにおいてダミーベアラとして使用している当該スロットと、これに対応するアップリンクのスロットとを、優先的にトラフィックベアラとして選択するように子機ＨＳ１に対して指示する。これにより、親機ＢＳ１と子機ＨＳ１との間においては、ダミーベアラをそのままトラフィックベアラと使用するようにスロットの選択が行われる。したがって、ダミーベアラとトラフィックベアラとの両方が併存する期間を生じさせないようにできる。
【０１４８】
このようにして、親機ＢＳ１と子機ＨＳ１との間には、ダミーベアラであったスロットをトラフィックベアラとして用いるようにする。そして、当該ダミーベアラであったトラフィックベアラを通じて相互に通信が可能な状態（データリンク）が形成され、この状態になって親機ＢＳ１から子機ＨＳ１に対して呼制御信号として着信が通知される。このように、ダウンリンクのトラフィックベアラを通じては、着信通知などの呼制御信号を含め、同期信号や種々の制御情報なども送信される。
【０１４９】
親機ＢＳ１から着信が通知された子機ＨＳ１では、制御回路５２が機能し、着信音を放音したり、所定のＬＥＤ（Light Emitting diode）を点滅させたりするなどの着信通知処理を実行する（ステップＡ２３）。これに応じて、コードレス電話装置２１の使用者が子機ＨＳ１を通じて応答操作を行うと（ステップＡ２４）、子機ＨＳ１の制御回路５２が機能し、接続要求を形成して、これを接続されたダミーベアラで使用していたスロットであるトラフィックベアラを通じて親機ＢＳ１に送信する（ステップＡ２５）。
【０１５０】
親機ＢＳ１の制御回路４１は、子機ＨＳ１からの接続要求を受信すると、発信元との間に通信回線を接続するように処理し、トラフィックベアラを通じて接続応答を子機ＨＳ１に送信する（ステップＡ２６）。これにより、発信元と子機ＨＳ１との間に、主装置１及び親機ＢＳ１を通じて通話回線が接続され、トラフィックベアラを通じて通話ができるようにされる（ステップＡ２７）。なお、通話が完了した後においては、トラフィックベアラは解放され、ダミーベアラが設定されて、待機状態に遷移することになる。
【０１５１】
このように、着信が発生した場合に、子機ＨＳ１からの要求に応じて、親機ＢＳ１はトラフィックベアラとなるスロットを選択する。この場合、親機ＢＳ１は、その時点においてダミーベアラとして用いているスロットをトラフィックベアラとして優先的に選択するように制御する。これにより、トラフィックベアラとダミーベアラとが併存する期間をなくし、スロットの空きを効率よく確保できる。
【０１５２】
［発信を行う場合の処理］
次に、ダミーベアラとして利用しているスロットを優先的にトラフィックベアラに割り当てる処理を行うコードレス電話装置において、自機から発信を行う場合の処理について説明する。上述もし、また、図１６にも示すように、待機時においては、親機ＢＳ１は、１０ｍｓ周期でダミーベアラによりキャリアセンス通知などの同期信号や種々の制御情報を送信している。この時に、子機ＨＳ１に設けられているオフフックボタンが押下操作されるオフフック操作がされたとする（ステップＢ２１）。
【０１５３】
オフフック操作を受け付けた子機ＨＳ１のスロット制御部５２１は、例えば、ダウンリンクのダミーベアラと対になっているアップリンクのダミーベアラを通じて、接続要求を親機ＢＳ１に送信する（ステップＢ２２）。なお、ダミーベアラを通じての親機ＢＳ１からのキャリアセンス通知の内容と子機ＨＳ１でのキャリアセンス処理の結果とに基づいて、子機ＨＳ１が通信に利用可能な最適なスロットを選択し、当該スロットを通じて接続要求を送信するようにしてもちろんよい。
【０１５４】
親機ＢＳ１のスロット制御部４１１は、子機ＨＳ１からの接続要求を受信すると、現在、ダミーベアラとして用いているスロットをトラフィックベアラとして用いるスロットとして特定する。そして、親機ＢＳ１は、特定した当該スロットを通じて、ダミーベアラとして使用しているダウンリンクのスロットと、これに対応するアップリンクのスロットとを、優先的にトラフィックベアラとして選択するように指示する（ステップＢ２３）。
【０１５５】
このように、子機ＨＳ１から発信する場合にも、親機ＢＳ１と子機ＨＳ１との間においては、ダミーベアラをそのままトラフィックベアラと使用するようスロットの選択を行う。したがって、ダミーベアラとトラフィックベアラとの両方が併存する期間を生じさせないようにできる。なお、ダウンリンクのダミーベアラを通じては、同期信号や制御情報なども送信される。
【０１５６】
この後、子機ＨＳ１が、使用者からのダイヤル操作や電話帳からの相手先の選択入力を受け付けたとする（ステップＢ２４）。この場合、子機ＨＳ１の制御回路５２は、相手先の電話番号などの必要な情報を含む発信要求を形成し、それまでダミーベアラであったトラフィックベアラを通じて親機ＢＳ１に送信する（ステップＢ２５）。
【０１５７】
親機ＢＳ１の制御回路４１は、子機ＨＳ１からの発信要求を受信すると、着信先との間に通信回線を接続するように処理し、トラフィックベアラを通じて接続応答を子機ＨＳ１に送信する（ステップＢ２６）。これにより、発信元と子機ＨＳ１との間に、主装置１及び親機ＢＳ１を通じて通話回線が接続され、トラフィックベアラを通じて通話ができるようにされる（ステップＢ２７）。なお、通話が完了した後においては、トラフィックベアラは解放され、ダミーベアラが設定されて、待機状態に遷移することになる。
【０１５８】
このように、コードレス電話装置２１の子機ＨＳ１から発信する場合にも、子機ＨＳ１からの要求に応じて、親機ＢＳ１はトラフィックベアラとなるスロットを選択する。この場合、親機ＢＳ１は、その時点においてダミーベアラとして用いているスロットをトラフィックベアラとして優先的に選択するように制御する。これにより、トラフィックベアラとダミーベアラとが併存する期間をなくし、スロットの空きを効率よく確保できる。
【０１５９】
［親機ＢＳ１でのトラフィックベアラ取得及びダミーベアラ解放処理］
図１７は、親機ＢＳ１で行われるトラフィックベアラ取得及びダミーベアラ解放処理を説明するためのフローチャートである。図１７に示す処理は、親機ＢＳ１に電源が投入された後において、親機ＢＳ１の主に制御回路４１が機能して各部を制御することにより実行される処理であり、図１５、図１６のシーケンス図で説明した親機ＢＳ１で実行される処理に対応している。
【０１６０】
図１７のフローチャートに示す処理が実行されると、待機中において、制御回路４１のスロット制御部４１１は、設定したダミーベアラを通じて、同期信号や種々の制御情報を配下の子機に対して送信する処理を開始する（ステップＳ２０１）。ダミーベアラを通じた制御情報などの送信は、制御回路４１のスロット制御部４１１が、無線通信回路４４の制御部４４１を通じて、ＴＤＭＡ変復調部４４２を制御することにより、１０ｍｓ周期で行われる。
【０１６１】
制御回路４１のスロット制御部４１１は、主装置１から着信が通知されたか否かを判別する（ステップＳ２０２）。ステップＳ２０２の判別処理において、着信は通知されていないと判別したときにはステップＳ２０２の処理に戻る。着信が通知されたと判別したときには、制御回路４１のスロット制御部４１１は、無線通信回路４４を通じて、子機からの応答要求や接続要求を待つ（ステップＳ２０３）。
【０１６２】
そして、制御回路４１のスロット制御部４１１は、子機からの要求を受信したか否かを判別する（ステップＳ２０４）。ステップＳ２０４の判別処理において、子機からの要求を受信していないと判別したときには、スロット制御部４１１は、ステップＳ２０２からの処理を繰り返す。一方、ステップＳ２０４の判別処理において、子機からの要求を受信したと判別したとする。この場合、スロット制御部４１１は、現時点において、ダミーベアラとして用いているスロットをトラフィックベアラとして特定する。そして、スロット制御部４１１は、ダミーベアラとして用いているスロットを優先的にトラフィックベアラとして選択することの指示を形成し、これを要求元の子機に送信する（ステップＳ２０５）。
【０１６３】
この後、ダウンリンクとアップリンクとに取得したトラフィックベアラを通じて、親機ＢＳ１と子機ＨＳ１とが相互に通信が可能な状態であるデータリンクが接続された状態となる。このため、親機ＢＳ１の制御回路４１は、子機ＨＳ１の使用者の応答操作やダイヤル操作などに応じて、目的とする相手先との間に通信回線を接続し、通話を行うなどの通信処理を行う（ステップＳ２０６）。
【０１６４】
ステップＳ２０６の通信処理が終了すると、制御回路４１のスロット制御部４１１は、用いていたトラフィックベアラを解放し、ダミーベアラを設定して、当該ダミーベアラを通じた同期信号や制御情報の送信処理を再開し（ステップＳ２０７）、ステップＳ２０２からの処理を繰り返す。
【０１６５】
この例の場合、ダミーベアラとして使用しているスロットをそのままトラフィックベアラとして使用する。このため、親機ＢＳ１に対して、子機が複数台接続されている場合であっても、最初にトラフィックベアラを接続するようにした子機以外の子機に対して、トラフィックベアラとなったスロットを通知する必要がない。したがって、ダミーベアラとして用いられるスロットと、トラフィックベアラとして用いられるスロットとが併存する期間が発生しないので、スロットの有効利用を図ることができる。
【０１６６】
［実施の形態の効果］
上述した実施の形態のコードレス電話装置では、トラフィックベアラとなるスロットを取得する場合に、ダミーベアラの即時解放やダミーベアラとして用いているスロットを優先的にトラフィックベアラとして選択するといった対応を取ることができる。
【０１６７】
例えば、親機に対して子機が１台しか接続されていない場合には、着信時や発信時において、トラフィックベアラとなるスロットを取得したら即座にダミーベアラとして用いているスロットを解放する。これにより、ダミーベアラのスロットとトラフィックベアラのスロットが併存する期間を生じさせないようにできる。したがって、スロットの有効利用を図ることができ、同一チャンネルを複数のコードレス電話装置で共用していても、各コードレス電話装置が適切にトラフィックベアラの取得を行うことができる。
【０１６８】
また、親機に対して接続された子機を、子機情報メモリ４１２を通じて管理できる。これにより、親機に対して複数の子機が接続されている場合には、最初にトラフィックベアラを接続した子機以外の子機に対して、同期信号や制御信号が適用できなくなる状態を回避し、子機が動作不能になるような不都合を生じさせることもない。
【０１６９】
また、ダミーベアラとして用いているスロットを優先的にトラフィックベアラとして選択するようにした場合には、親機に接続されている子機の台数にかかわらず、ダミーベアラのスロットとトラフィックベアラのスロットとが併存する期間を生じさせないようにできる。したがって、スロットの有効利用を図ることができ、同一チャンネルを複数のコードレス電話装置で共用していても、各コードレス電話装置が適切にトラフィックベアラの取得を行うことができる。
【０１７０】
［変形例］
ＤＥＣＴ規格の通信方式の場合、周波数の異なる通信チャンネルを最大で５チャンネル利用することができる。このため、用いる通信チャンネルが異なるコードレス電話装置のグループごとに、上述した発明を適用することにより、各チャンネルを通じて接続される複数のコードレス電話装置を適切に動作させることができる。
【０１７１】
また、上述した実施の形態では、コードレス電話装置の親機と子機との間では、ＤＥＣＴ規格の通信方式が採用されているものとして説明したが、これに限るものではない。単位通信期間を複数のスロットに分割し、待機時と、着信や発信が発生したときとでは、用いるスロットを変更する種々の通信方式にこの発明を提供できる。
【０１７２】
［その他］
上述した実施の形態の説明からも分かるように、親機の制御情報送信手段、要求受信手段としての機能は、親機ＢＳ１の制御回路４１と無線通信回路４４とが協働して実現している。また、親機のスロット制御手段の機能は、親機ＢＳ１のスロット制御部４１１が実現している。また、親機の子機情報記憶手段の機能は、親機ＢＳ１の子機情報メモリ４１２が実現し、親機の判別手段は、スロット制御部４１１が実現している。子機の要求送信手段の機能は、子機ＨＳ１の制御回路５２と無線通信回路５１とが協働して実現している。また、子機の制御手段の機能は、子機ＨＳ１の制御回路５２が実現している。
【符号の説明】
【０１７３】
１…主装置、１１…回線Ｉ／Ｆ、１２…制御回路、１３…回線ＬＳＩ部、１４…基準発振器、２１〜２ｎ…コードレス電話装置、ＢＳ１〜ＢＳｎ…親機、ＨＳ１〜ＨＳｎ…子機、４１…制御回路、４１１…スロット制御部、４１２…子機情報メモリ、４２…回線ＬＳＩ部、４３…同期信号発生回路、４４…無線通信回路、４４１…制御部、４４２…ＴＤＭＡ変復調部、４４２２…キャリアセンス部、４４３…無線通信部、５１…無線通信回路、５１１…制御部、５１２…ＴＤＭＡ変復調部、５１２２…キャリアセンス部、５１３…無線通信部、５２…制御回路、５２１…スロット制御部
【図１】
0006697176.tif 000002
【図２】
0006697176.tif 000003
【図３】
0006697176.tif 000004
【図４】
0006697176.tif 000005
【図５】
0006697176.tif 000006
【図６】
0006697176.tif 000007
【図７】
0006697176.tif 000008
【図８】
0006697176.tif 000009
【図９】
0006697176.tif 000010
【図１０】
0006697176.tif 000011
【図１１】
0006697176.tif 000012
【図１２】
0006697176.tif 000013
【図１３】
0006697176.tif 000014
【図１４】
0006697176.tif 000015
【図１５】
0006697176.tif 000016
【図１６】
0006697176.tif 000017
【図１７】
0006697176.tif 000018
【図１８】
0006697176.tif 000019